(57)【要約】【課題】  差動コイルによる検知信号の特徴を利用することにより、磁性体の異常を正確に検出することが可能な磁性体検査システム、磁性体検査装置および磁性体検査方法を提供する。【解決手段】  ワイヤーロープの検査装置１００は、ワイヤーロープ９１の長さ方向の位置を変化させた状態で、差動コイルにおける一対のコイル部のうちの一方のコイル部の出力値から他方のコイル部の出力値を減算することにより、ワイヤーロープ９１の状態を示す検知信号を出力する励振コイル付差動コイル７４を備える。また、ワイヤーロープの検査装置１００は、励振コイル付差動コイル７４から出力された検知信号に基づいてワイヤーロープ９１の状態を判定し、その判定結果を表示部１５等に表示する判定部８２を備える。【選択図】        図２
2020038072.tif 000002
【特許請求の範囲】
【請求項１】
磁性体から成る長尺材の異常を検査する磁性体検査システムであって、
前記磁性体の長さ方向に対して異なる位置に配設された一対のコイル部からなり、前記磁性体と前記一対のコイル部との前記磁性体に対する長さ方向の位置を相対的に変化させた状態で、前記一対のコイル部のうちの一方のコイル部の出力値から他方のコイル部の出力値を減算することにより検知信号を出力する差動コイルを含む磁性体検査装置と、
前記差動コイルから出力された検知信号に基づいて前記磁性体の状態を判定する判定装置と、を備え、
前記判定装置は、前記磁性体の長さ方向に対する予め設定した領域内において、前記検知信号における下側ピークと上側ピークとが予め定められた順序で発生し、かつ、下側ピーク値と上側ピーク値との差が予め定められた設定値以上となったときに、前記磁性体の異常を検出することを特徴とする磁性体検査システム。
【請求項２】
磁性体から成る長尺材の異常を検査する磁性体検査システムであって、
前記磁性体の長さ方向に対して異なる位置に配設された一対のコイル部からなり、前記磁性体と前記一対のコイル部との前記磁性体に対する長さ方向の位置を相対的に変化させた状態で、前記一対のコイル部のうちの一方のコイル部の出力値から他方のコイル部の出力値を減算することにより検知信号を出力する差動コイルを含む磁性体検査装置と、
前記差動コイルから出力された検知信号に基づいて前記磁性体の状態を判定する判定装置と、を備え、
前記判定部は、前記磁性体の長さ方向に対する予め設定した領域内における前記検知信号の大きさの変化量が予め定められた設定値以上となったときに、前記磁性体の異常を検出することを特徴とする磁性体検査システム。
【請求項３】
請求項１または請求項２に記載の磁性体検査システムにおいて、
前記磁性体は、複数の素線により形成されたワイヤーロープであり、
前記判定装置は、前記検知信号に基づいて、前記ワイヤーロープの素線断線、または、前記ワイヤーロープへの磁性体の付着の有無を判定する磁性体検査システム。
【請求項４】
請求項１または請求項２に記載の磁性体検査システムにおいて、
前記差動コイルは、前記磁性体を励振する励振コイルを含む磁性体検査システム。
【請求項５】
磁性体から成る長尺材の異常を検査する磁性体検査装置であって、
前記磁性体の長さ方向に対して異なる位置に配設された一対のコイル部からなり、前記磁性体と前記一対のコイル部との前記磁性体に対する長さ方向の位置を相対的に変化させた状態で、前記一対のコイル部のうちの一方のコイル部の出力値から他方のコイル部の出力値を減算することにより検知信号を出力する差動コイルと、
前記差動コイルから出力された検知信号に基づいて前記磁性体の状態を判定する判定部と、を備え、
前記判定部は、前記磁性体の長さ方向に対する予め設定した領域内において、前記検知信号における下側ピークと上側ピークとが予め定められた順序で発生し、かつ、下側ピーク値と上側ピーク値との差が予め定められた設定値以上となったときに、前記磁性体の異常を検出することを特徴とする磁性体検査装置。
【請求項６】
磁性体から成る長尺材の異常を検査する磁性体検査装置であって、
前記磁性体の長さ方向に対して異なる位置に配設された一対のコイル部からなり、前記磁性体と前記一対のコイル部との前記磁性体に対する長さ方向の位置を相対的に変化させた状態で、前記一対のコイル部のうちの一方のコイル部の出力値から他方のコイル部の出力値を減算することにより検知信号を出力する差動コイルと、
前記差動コイルから出力された検知信号に基づいて前記磁性体の状態を判定する判定部と、を備え、
前記判定部は、前記磁性体の長さ方向に対する予め設定した領域内における前記検知信号の大きさの変化量が予め定められた設定値以上となったときに、前記磁性体の異常を検出することを特徴とする磁性体検査装置。
【請求項７】
磁性体から成る長尺材の異常を検査する磁性体検査方法であって、
前記磁性体と、前記磁性体の長さ方向に対して異なる位置に配設された一対のコイル部を備えた差動コイルとの前記磁性体に対する長さ方向の位置を相対的に変化させた状態で、前記差動コイルにおける一対のコイル部のうちの一方のコイル部の出力値から他方のコイル部の出力値を減算することにより検知信号を出力するステップと、
前記磁性体の長さ方向に対する予め設定した領域内で、前記検知信号において下側ピークと上側ピークとが予め定められた順序で発生し、かつ、下側ピーク値と上側ピーク値との差が予め定められた設定値以上となったときに、磁性体の異常を検出するステップと、
を備える磁性体検査方法。
【請求項８】
磁性体から成る長尺材の異常を検査する磁性体検査方法であって、
前記磁性体と、前記磁性体の長さ方向に対して異なる位置に配設された一対のコイル部を備えた差動コイルとの前記磁性体に対する長さ方向の位置を相対的に変化させた状態で、前記差動コイルにおける一対のコイル部のうちの一方のコイル部の出力値から他方のコイル部の出力値を減算することにより検知信号を出力するステップと、
前記磁性体の長さ方向に対する予め設定した領域内における前記検知信号の大きさの変化量が予め定められた設定値以上となったときに、磁性体の異常を検出するステップと、
を備える磁性体検査方法。
【発明の詳細な説明】
【技術分野】
【０００１】
この発明は、磁性体検査システム、磁性体検査装置および磁性体検査方法に関し、特に磁性体の磁束を検知する磁性体検査システム、磁性体検査装置および磁性体検査方法に関する。
【背景技術】
【０００２】
磁性体の磁束を検知する磁性体検査方法の一つとして、全磁束法が利用されている。全磁束法は、磁性体中に流れる磁束量が磁性体の断面積に比例することを原理とした検査方法であり、例えば、ワイヤーロープ（磁性体）を磁化させ、ワイヤーロープの磁束が総量としてどれくらい変化しているかを測定することによりワイヤーロープの異常を検査する方法である。
【０００３】
特許文献１には、有節長尺材を囲む励磁コイルと、励磁コイルで発生させた渦電流による誘導を検出する一対の検出コイルと、一対の検出コイルの出力の一方から他方を減算する減算器とを備え、一方向に搬送される有節長尺材の傷を検査することができる有節長尺材の渦流探傷装置が開示されている。
【先行技術文献】
【特許文献】
【０００４】
【特許文献１】特開２００３−３０２３７９号公報
【発明の概要】
【発明が解決しようとする課題】
【０００５】
このような磁性体から成るワイヤーロープとしてのスチールワイヤーロープは、数本から数十本の素線（ワイヤ）をより合わせた複数本のストランドを、心綱の周りに所定のピッチでより合わせた構造を有する。このため、多数の素線のうちの数少ない素線に断線等の異常が生じた場合においては、スチールワイヤーロープの磁束量の変化はわずかであり、素線の断線を正確に検出することが困難となる。
【０００６】
この発明は上記課題を解決するためになされたものであり、差動コイルによる検知信号の特徴を利用することにより、磁性体の異常を正確に検出することが可能な磁性体の検査システム、磁性体検査装置および磁性体検査方法を提供することを目的とする。
【課題を解決するための手段】
【０００７】
請求項１に記載の発明は、磁性体から成る長尺材の異常を検査する磁性体検査システムであって、前記磁性体の長さ方向に対して異なる位置に配設された一対のコイル部からなり、前記磁性体と前記一対のコイル部との前記磁性体に対する長さ方向の位置を相対的に変化させた状態で、前記一対のコイル部のうちの一方のコイル部の出力値から他方のコイル部の出力値を減算することにより検知信号を出力する差動コイルを含む磁性体検査装置と、前記差動コイルから出力された検知信号に基づいて前記磁性体の状態を判定する判定装置と、を備え、前記判定装置は、前記磁性体の長さ方向に対する予め設定した領域内において、前記検知信号における下側ピークと上側ピークとが予め定められた順序で発生し、かつ、下側ピーク値と上側ピーク値との差が予め定められた設定値以上となったときに、前記磁性体の異常を検出することを特徴とする。
【０００８】
請求項２に記載の発明は、磁性体から成る長尺材の異常を検査する磁性体検査システムであって、前記磁性体の長さ方向に対して異なる位置に配設された一対のコイル部からなり、前記磁性体と前記一対のコイル部との前記磁性体に対する長さ方向の位置を相対的に変化させた状態で、前記一対のコイル部のうちの一方のコイル部の出力値から他方のコイル部の出力値を減算することにより検知信号を出力する差動コイルを含む磁性体検査装置と、前記差動コイルから出力された検知信号に基づいて前記磁性体の状態を判定する判定装置と、を備え、前記判定部は、前記磁性体の長さ方向に対する予め設定した領域内における前記検知信号の大きさの変化量が予め定められた設定値以上となったときに、前記磁性体の異常を検出することを特徴とする。
【０００９】
請求項３に記載の発明は、請求項１または請求項２に記載の発明において、前記磁性体は、複数の素線により形成されたワイヤーロープであり、前記判定装置は、前記検知信号に基づいて、前記ワイヤーロープの素線断線、または、前記ワイヤーロープへの磁性体の付着の有無を判定する。
【００１０】
請求項４に記載の発明は、請求項１または請求項２に記載の発明において、前記差動コイルは、前記磁性体を励振する励振コイルを含む。
【００１１】
請求項５に記載の発明は、磁性体から成る長尺材の異常を検査する磁性体検査装置であって、前記磁性体の長さ方向に対して異なる位置に配設された一対のコイル部からなり、前記磁性体と前記一対のコイル部との前記磁性体に対する長さ方向の位置を相対的に変化させた状態で、前記一対のコイル部のうちの一方のコイル部の出力値から他方のコイル部の出力値を減算することにより検知信号を出力する差動コイルと、前記差動コイルから出力された検知信号に基づいて前記磁性体の状態を判定する判定部と、を備え、前記判定部は、前記磁性体の長さ方向に対する予め設定した領域内において、前記検知信号における下側ピークと上側ピークとが予め定められた順序で発生し、かつ、下側ピーク値と上側ピーク値との差が予め定められた設定値以上となったときに、前記磁性体の異常を検出することを特徴とする。
【００１２】
請求項６に記載の発明は、磁性体から成る長尺材の異常を検査する磁性体検査装置であって、前記磁性体の長さ方向に対して異なる位置に配設された一対のコイル部からなり、前記磁性体と前記一対のコイル部との前記磁性体に対する長さ方向の位置を相対的に変化させた状態で、前記一対のコイル部のうちの一方のコイル部の出力値から他方のコイル部の出力値を減算することにより検知信号を出力する差動コイルと、前記差動コイルから出力された検知信号に基づいて前記磁性体の状態を判定する判定部と、を備え、前記判定部は、前記磁性体の長さ方向に対する予め設定した領域内における前記検知信号の大きさの変化量が予め定められた設定値以上となったときに、前記磁性体の異常を検出することを特徴とする。
【００１３】
請求項７に記載の発明は、磁性体から成る長尺材の異常を検査する磁性体検査方法であって、前記磁性体と、前記磁性体の長さ方向に対して異なる位置に配設された一対のコイル部を備えた差動コイルとの前記磁性体に対する長さ方向の位置を相対的に変化させた状態で、前記差動コイルにおける一対のコイル部のうちの一方のコイル部の出力値から他方のコイル部の出力値を減算することにより検知信号を出力するステップと、前記磁性体の長さ方向に対する予め設定した領域内で、前記検知信号において下側ピークと上側ピークとが予め定められた順序で発生し、かつ、下側ピーク値と上側ピーク値との差が予め定められた設定値以上となったときに、磁性体の異常を検出するステップと、を備える。
【００１４】
請求項８に記載の発明は、磁性体から成る長尺材の異常を検査する磁性体検査方法であって、前記磁性体と、前記磁性体の長さ方向に対して異なる位置に配設された一対のコイル部を備えた差動コイルとの前記磁性体に対する長さ方向の位置を相対的に変化させた状態で、前記差動コイルにおける一対のコイル部のうちの一方のコイル部の出力値から他方のコイル部の出力値を減算することにより検知信号を出力するステップと、前記磁性体の長さ方向に対する予め設定した領域内における前記検知信号の大きさの変化量が予め定められた設定値以上となったときに、磁性体の異常を検出するステップと、を備える。
【発明の効果】
【００１５】
請求項１、請求項５および請求項７に記載の発明によれば、磁性体に異常が発生している場合、差動コイルにおける一対のコイル部のうちの一方のコイル部の出力値から他方のコイル部の出力値を減算して得た検知信号には、磁性体の長さ方向に対する予め設定した領域内において下側ピークと上側ピークとが予め定められた順序で発生するという特徴を利用し、それらの下側ピーク値と上側ピーク値との差が予め定められた設定値以上となったときに異常を検出することから、磁性体の異常を正確に検出することが可能となる。
【００１６】
請求項２、請求項６および請求項８に記載の発明によれば、差動コイルにおける一対のコイル部のうちの一方のコイル部の出力値から他方のコイル部の出力値を減算して得た検知信号の大きさの変化量は、ノイズ等と比較して大きいことを利用し、検知信号の大きさの変化量が予め定められた設定値以上となったときに異常を検出することから、磁性体の異常を正確に検出することが可能となる。
【００１７】
請求項３に記載の発明によれば、ワイヤーロープの素線断線、または、ワイヤーロープへの磁性体の付着の有無を判定することができる。
【００１８】
請求項４に記載の発明によれば、励振コイルにより励振された磁性体を利用して異常を検出することが可能となる。
【図面の簡単な説明】
【００１９】
【図１】この発明に係るワイヤーロープの検査装置１００を適用したエレベータ装置の概要図である。
【図２】この発明に係るワイヤーロープの検査装置１００の構成を示す模式図である。
【図３】この発明に係るワイヤーロープの検査装置１００における励振コイル付差動コイル７４をワイヤーロープ９１とともに示す概要図である。
【図４】他の実施形態に係る励振コイル付差動コイル７４をワイヤーロープ９１とともに示す概要図である。
【図５】他の実施形態に係る励振コイル付差動コイル７４をワイヤーロープ９１とともに示す概要図である。
【図６】励振コイル付差動コイル７４から出力される検知信号を示すグラフである。
【図７】検知信号の上側ピークと下側ピークを検出するための窓領域Ｗ付近を示す拡大図である。
【図８】検知信号に対して設定された窓領域Ｗ付近を示す拡大図である。
【図９】図８に示す窓領域Ｗ付近を拡大して模式的に示す説明図である。
【発明を実施するための形態】
【００２０】
以下、この発明の実施の形態を図面に基づいて説明する。最初に、この発明に係るワイヤーロープの検査装置を使用するエレベータ装置の構成について説明する。図１は、この発明に係るワイヤーロープの検査装置１００を適用したエレベータ装置の概要図である。
【００２１】
このエレベータ装置は、かご９２と、このかご９２を、巻き上げプーリ９３およびガイドプーリ９４を介して図示しないカウンターウエイトと連結するワイヤーロープ９１とを備える。そして、壁面９５に、この発明に係るワイヤーロープの検査装置１００が配設されている。このワイヤーロープの検査装置１００は、かご９２の昇降に伴って移動するワイヤーロープ９１に対して、その異常を検査する。
【００２２】
なお、このエレベータ装置に使用されるワイヤーロープ９１は、磁性体である鋼（ｓｔｅｅｌ）の素線をより合わせたスチールワイヤーロープから構成されている。但し、鋼以外の磁性体から成るワイヤーロープを使用してもよい。
【００２３】
次に、この発明に係るワイヤーロープの検査装置の構成について説明する。図２は、この発明に係るワイヤーロープの検査装置１００の構成を示す模式図である。また、図３は、この発明に係るワイヤーロープの検査装置１００における励振コイル付差動コイル７４をワイヤーロープ９１とともに示す概要図である。
【００２４】
この発明に係るワイヤーロープの検査装置１００は、ワイヤーロープ９１の状態を示す検知信号を出力するための励振コイル付差動コイル７４を備える。
【００２５】
励振コイル付差動コイル７４は、図３に示すように、ワイヤーロープ９１の長さ方向（図２および図３における左右方向であり図１における上下方向）に対して異なる位置に隣接して配設された一対のコイル部７１、７２から構成される差動コイルと、ワイヤーロープ９１を励振するための励振コイル７３とを備える。コイル部７１およびコイル部７２は、ワイヤーロープ９１を中心とした円筒状の形状を有する。また、励振コイル７３は、コイル部７１およびコイル部７２の外側を囲う円筒状の形状を有する。
【００２６】
ここで、励振コイル７３は、励振電流が流されることにより磁界を発生し、この磁界がワイヤーロープ９１に印加されることによりワイヤーロープ９１が励振する。そして、一対のコイル部７１、７２から構成される差動コイルにより、ワイヤーロープ９１から生ずる磁界が検出される。
【００２７】
図４および図５は、他の実施形態に係る励振コイル付差動コイル７４をワイヤーロープ９１とともに示す概要図である。
【００２８】
図３に示す励振コイル付差動コイル７４は、一対のコイル部７１、７２から構成される差動コイルの外側に励振コイル７３を配設している。これに対して、図４に示す実施形態においては、一対のコイル部７１、７２から構成される差動コイルの内側に励振コイル７３を配設している。また、図５に示す実施形態においては、励振コイル７３に対してワイヤーロープ９１の長手方向の両側に、差動コイルを構成する一対のコイル部７１、７２を配設している。
【００２９】
再度図２を参照して、励振コイル付差動コイル７４は、かご９２の昇降動作に伴って励振コイル付差動コイル７４に対するワイヤーロープ９１の長さ方向の位置を変化させた状態で、差動コイルにおける一対のコイル部７１、７２のうちの一方のコイル部７１の出力値から他方のコイル部７２の出力値を減算することにより、ワイヤーロープ９１の状態を示す検知信号を出力する。
【００３０】
また、この発明に係るワイヤーロープの検査装置１００は、ワイヤーロープ９１の長さ方向に対して励振コイル付差動コイル７４の両側に配設された複数の永久磁石６１、６２、６３、６４から構成される磁界印加機構を備える。この永久磁石６１、６２、６３、６４から構成される磁界印加機構は、ワイヤーロープ９１に対して予め磁界を印加することにより、ワイヤーロープ９１の磁化の方向を整えるために使用されるものである。
【００３１】
すなわち、ワイヤーロープ９１の内部の磁化の方向は、図１に示す巻き上げプーリ９３やガイドプーリ９４を通過する際に、応力や曲がり等が加わることにより変化して不均一となる。また、ワイヤーロープ９１の内部の磁化の方向がワイヤーロープ９１の製造直後から不均一となっている場合もある。このため、ワイヤーロープ９１に断線等がない均一な部分であっても、ワイヤーロープ９１が有する磁化の方向のバラツキに起因して、励振コイル付差動コイル７４がノイズに基づいた信号を検出してしまう場合がある。このため、このワイヤーロープの検査装置１００は、ワイヤーロープ９１に対して予め磁界を印加することにより、ワイヤーロープ９１の磁化の方向を略整える構成を採用している。
【００３２】
このような構成を採用することにより、励振コイル付差動コイル７４に対してワイヤーロープ９１を図２に示す右方向に移動させるときには、ワイヤーロープ９１が励振コイル付差動コイル７４に到達する前に、一対の永久磁石６１、６２により磁化の方向が整えられる。一方、励振コイル付差動コイル７４に対してワイヤーロープ９１を図２に示す左方向に移動させるときには、ワイヤーロープ９１が励振コイル付差動コイル７４に到達する前に、一対の永久磁石６３、６４により磁化の方向が整えられる。
【００３３】
また、この発明に係るワイヤーロープの検査装置１００は、励振コイル付差動コイル７４から出力された検知信号に基づいてワイヤーロープ９１の状態を判定し、その判定結果を図２に示す表示部１５等に表示する判定部８２を備える。
【００３４】
なお、判定部８２は、ソフトウエアがインストールされたコンピュータから構成される。この判定部８２に含まれる判定機能は、コンピュータにインストールされているソフトウエアを実行することで実現される。
【００３５】
図６は、励振コイル付差動コイル７４から出力される検知信号を示すグラフであり、図７は、その上側ピークと下側ピークを検出するための窓領域Ｗ付近を示す拡大図である。図６および図７における縦軸は、検知信号の大きさを示している。
【００３６】
上述したように、励振コイル付差動コイル７４は、一対のコイル部７１、７２のうちの一方のコイル部７１の出力値から他方のコイル部７２の出力値を減算することにより、判定部８２に対してワイヤーロープ９１の状態を示す検知信号を出力している。このため、ワイヤーロープ９１を構成する素線に素線断線等の異常が生じた場合や、ワイヤーロープ９１に磁性体の付着が生じた場合においては、ワイヤーロープ９１における磁束量が変化することから、差動コイルにおける一対のコイル部７１、７２のうちの一方のコイル部７１の出力値から他方のコイル部７２の出力値を減算して得た検知信号には、図６における領域Ａ、Ｂ、Ｃに示すように、ワイヤーロープ９１の長さ方向に対する予め設定した領域内において下側ピークと上側ピークとが予め定められた順序で発生する。
【００３７】
判定部８２は、励振コイル付差動コイル７４から送信された検知信号に対して、図７における符号Ｗで示すように、ワイヤーロープ９１の長さ方向に対する所定の領域を規定する窓領域Ｗを設定する。そして、この窓領域Ｗを、ワイヤーロープ９１に対して相対的に、ワイヤーロープ９１の長さ方向に移動させる。
【００３８】
この窓領域Ｗは、ワイヤーロープ９１を定速で移送させる場合においては、一定の時間として設定される。また、ワイヤーロープ９１の位置情報を取得する場合においては、一定の距離として設定される。いずれの場合においても、この窓領域Ｗは、ワイヤーロープ９１の長さ方向に対して予め設定された領域となる。
【００３９】
判定部８２は、最初に、この窓領域Ｗで規定される領域内において、検知信号における下側ピークと上側ピークとが予め定められた順序で発生しているか否かを判断する。図７においては、右側に示す窓領域Ｗで規定される領域内においては、検知信号における下側ピークと上側ピークとが発生していないが、左側に示す窓領域Ｗで規定される領域内においては、検知信号における下側ピークと上側ピークとが予め定められた順序で発生している。
【００４０】
なお、下側ピークと上側ピークの発生の順序は、ワイヤーロープ９１の長さ方向に対する窓領域Ｗの移動方向がいずれの方向か、あるいは、差動コイルにおける一対のコイル部７１、７２のうちのコイル部７１の出力値からコイル部７２の出力値を減算するかコイル部７２の出力値からコイル部７１の出力値を減算するかにより逆となる。また、ワイヤーロープ９１に断線が生じている場合と、ワイヤーロープ９１に磁性体が付着している場合とで逆となる。
【００４１】
検知信号における下側ピークと上側ピークとが予め定められた順序で発生している場合においては、判定部８２は、次に、下側ピーク値と上側ピーク値との差が予め定められた設定値以上であるか否かを判断する。
【００４２】
そして、判定部８２が、ワイヤーロープ９１の長さ方向に対する所定の領域を規定する窓領域Ｗ内において、検知信号における下側ピークと上側ピークとが予め定められた順序で発生し、かつ、下側ピーク値と上側ピーク値との差が予め定められた設定値以上であると判断したときに、ワイヤーロープ９１の異常を検出する。この時には、判定部８２は、表示部１５に対して異常の発生を知らせる警告表示を行うと共に、必要に応じ警告音を発生させる。なお、この異常の発生の通知は、院内ネットワーク等を介して他の管理装置に送信してもよい。
【００４３】
次に、判定部８２によるワイヤーロープ９１の状態判定の他の実施形態について説明する。図８は、図６に示す検知信号に対して設定された窓領域Ｗ付近を示す拡大図である。また、図９は、図８に示す窓領域Ｗ付近を拡大して模式的に示す説明図である。図８および図９における横軸は、ワイヤーロープ９１の長さ方向の位置を示している。また、図８および図９における縦軸は、検知信号の大きさを示している。
【００４４】
上述した実施形態においては、ワイヤーロープ９１の長さ方向に対する予め設定した領域内において検知信号における下側ピークと上側ピークとが予め定められた順序で発生し、かつ、下側ピーク値と上側ピーク値との差が予め定められた設定値以上となったときにワイヤーロープ９１の異常を検出している。これに対し、この実施形態においては、ワイヤーロープ９１の長さ方向に対する予め設定した領域内における検知信号の大きさの変化量が予め定められた設定値以上となったときにワイヤーロープ９１の異常を検出する構成を採用している。
【００４５】
すなわち、励振コイル付差動コイル７４における一対のコイル部７１、７２のうちの一方のコイル部７１の出力値から他方のコイル部７２の出力値を減算することにより得られた検知信号は、下側ピーク領域と上側ピーク領域の間において、ノイズ等と比較してはるかに大きな変化を示す。このため、ワイヤーロープ９１を構成する素線に断線等の異常が生じた領域においては、検知信号の大きさが急激に変化することになる。
【００４６】
判定部８２は、励振コイル付差動コイル７４から送信された検知信号に対して、図８における符号Ｗで示すように、ワイヤーロープ９１の長さ方向に対する所定の領域を規定する窓領域Ｗを設定する。この窓領域Ｗのワイヤーロープ９１の長さ方向に対応する領域の大きさは、下側ピーク領域と上側ピーク領域との間に入り得る領域となるように予め設定されている。そして、この窓領域Ｗを、ワイヤーロープ９１に対して相対的に、ワイヤーロープ９１の長さ方向に移動させる。
【００４７】
そして、判定部８２は、この窓領域Ｗで規定される領域内における検知信号の大きさの変化量Ｄ（図９参照）が予め定められた設定値以上であると判断したときに、ワイヤーロープ９１の異常を検出する。
【００４８】
なお、上述した実施形態においては、いずれも、ワイヤーロープの検査装置に対してワイヤーロープを移動させているが、ワイヤーロープに対してワイヤーロープの検査装置を移動させてもよい。また、ワイヤーロープの検査装置をオペレータが手で持ち、これをワイヤーロープに対して移動させることによりワイヤーロープの異常を検出する構成としてもよい。
【００４９】
また、上述した実施形態においては、この発明を励振コイル付差動コイル７４と判定部８２とを備えた磁性体検査装置に適用した場合について説明したが、この発明を、磁性体検査装置と判定装置とを個別に備えた磁性体検査システムに適用してもよい。
【符号の説明】
【００５０】
６１    永久磁石
６２    永久磁石
６３    永久磁石
６４    永久磁石
７１    コイル部
７２    コイル部
７３    励振コイル
７４    励振コイル付差動コイル
８２    判定部
９１    ワイヤーロープ
９２    かご
９３    巻き上げプーリ
９４    ガイドプーリ
１００  ワイヤーロープの検査装置
Ｗ        窓領域
【図１】
2020038072.tif 000003
【図２】
2020038072.tif 000004
【図３】
2020038072.tif 000005
【図４】
2020038072.tif 000006
【図５】
2020038072.tif 000007
【図６】
2020038072.tif 000008
【図７】
2020038072.tif 000009
【図８】
2020038072.tif 000010
【図９】
2020038072.tif 000011